【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
マルチタッチデバイスにおけるタッチイベントに対応する方法であって、
１又はそれ以上のビューを表示するステップと、
各々が特定のビューに関連付けられた１又はそれ以上のソフトウェア要素を実行するステップと、
マルチタッチフラグ又は排他的タッチフラグを個々のビューに関連付けるステップと、
前記１又はそれ以上のビューにおいて１又はそれ以上のタッチを受信するステップと、
前記マルチタッチフラグ及び排他的タッチフラグの値に基づいて、各々が受信したタッチについて記述する１又はそれ以上のタッチイベントを、タッチを受信した前記１又はそれ以上のビューに関連付けられた１又はそれ以上の前記ソフトウェア要素へ選択的に送信するステップと、
を含むことを特徴とする方法。
【請求項２】
マルチタッチフラグが特定のビューに関連付けられている場合、前記特定のビューにおいて受信したタッチイベントと同時に起こる別のタッチイベントを、別のビューに関連付けられたソフトウェア要素へ送信できるようにするステップをさらに含む、
ことを特徴とする請求項１に記載の方法。
【請求項３】
マルチタッチフラグが特定のビューに関連付けられている場合、前記マルチタッチフラグは、前記特定のビューに関連付けられた前記ソフトウェア要素が、前記ビューにおいて行われる複数の同時に起こるタッチを処理できるかどうかを示す、
ことを特徴とする請求項１に記載の方法。
【請求項４】
前記排他的タッチフラグは、アサートされた排他的タッチフラグを有する前記ビューにおいてタッチを受信している間、前記アサートされた排他的タッチフラグを有するビュー以外のビューに関連付けられたソフトウェア要素へタッチイベントが送信されないようにする、
ことを特徴とする請求項１に記載の方法。
【請求項５】
前記マルチタッチデバイスは移動電話機である、
ことを特徴とする請求項１に記載の方法。
【請求項６】
前記マルチタッチデバイスはデジタルメディアプレイヤである、
ことを特徴とする請求項１に記載の方法。
【請求項７】
マルチタッチフラグを第１のビューに関連付けるステップと、
前記１又はそれ以上のビューのうちの１つである前記第１のビューにおいて第１のタッチを受信するステップと、
前記第１のタッチについて記述するタッチイベントを、前記１又はそれ以上のソフトウェア要素のうちの１つであるとともに前記第１のビューに関連付けられた第１のソフトウェア要素へ送信するステップと、
前記第１のビューに関連付けられた前記マルチタッチフラグが、前記第１のビューがマルチタッチビューであることを示すかどうかを判定するステップと、
前記第１のビューがマルチタッチビューでない場合、前記第１のタッチがもはや受信されなくなるまで前記第１のビューにおいて行われる他の任意のタッチについて記述するすべてのタッチイベントを妨げるステップと、
を含むことを特徴とする請求項１に記載の方法。
【請求項８】
排他的タッチフラグを前記１又はそれ以上のビューの各々に関連付けるステップと、
前記第１のビューに関連付けられた前記排他的タッチフラグが、前記第１のビューが排他的タッチビューであることを示すかどうかを判定するステップと、
前記第１のビューが排他的タッチビューである場合、前記第１のタッチがもはや受信されなくなるまで前記第１のビュー以外の任意のビューにおいて行われる他の任意のタッチについて記述するすべてのタッチイベントを妨げるステップと、
を含むことを特徴とする請求項７に記載の方法。
【請求項９】
前記第１のビューは排他的タッチビューではなく、
第２のビューにおいて行われるとともに第２のソフトウェア要素に関連付けられた、マルチタッチパネルにおける第２のタッチを受信するステップと、
前記第２のビューに関連付けられた前記排他的タッチフラグが、前記第２のビューが排他的タッチビューであることを示すかどうかを判定するステップと、
前記第２のビューが排他的タッチビューである場合、前記第１のタッチがもはや受信されなくなるまで、前記第２のタッチに関連付けられたタッチイベントが前記第２のソフトウェア要素へ送信されないようにするステップと、
を含むことを特徴とする請求項８に記載の方法。
【請求項１０】
前記第２のビューが排他的タッチビューでない場合、前記第２のタッチについて記述するタッチイベントを前記第２のソフトウェア要素へ送信するステップをさらに含む、
ことを特徴とする請求項９に記載の方法。
【請求項１１】
マルチタッチデバイスにおいて実行するように構成された複数の命令を含むコンピュータ可読媒体であって、前記命令は、前記マルチタッチデバイスに、
１又はそれ以上のビューを表示させ、
各々が特定のビューに関連付けられた１又はそれ以上のソフトウェア要素を実行させ、
マルチタッチフラグ又は排他的タッチフラグを個々のビューに関連付けさせ、
前記１又はそれ以上のビューにおいて１又はそれ以上のタッチを受信させ、
前記マルチタッチフラグ及び排他的タッチフラグの値に基づいて、各々が受信したタッチについて記述する１又はそれ以上のタッチイベントを、タッチを受信した前記１又はそれ以上のビューに関連付けられた１又はそれ以上の前記ソフトウェア要素へ選択的に送信させる、
ように構成されたことを特徴とするコンピュータ可読媒体。
【請求項１２】
前記命令は、前記マルチタッチデバイスに、マルチタッチフラグが特定のビューに関連付けられている場合、前記特定のビューにおいて受信したタッチイベントと同時に起こる別のタッチイベントを、別のビューに関連付けられたソフトウェア要素へ送信できるようにさせるようにさらに構成された、
ことを特徴とする請求項１１に記載のコンピュータ可読媒体。
【請求項１３】
マルチタッチフラグが特定のビューに関連付けられている場合、前記マルチタッチフラグは、前記特定のビューに関連付けられた前記ソフトウェア要素が、前記ビューにおいて行われる複数の同時に起こるタッチを処理できるかどうかを示す、
ことを特徴とする請求項１１に記載のコンピュータ可読媒体。
【請求項１４】
前記排他的タッチフラグは、アサートされた排他的タッチフラグを有する前記ビューにおいてタッチを受信している間、前記アサートされた排他的タッチフラグを有するビュー以外のビューに関連付けられたソフトウェア要素へタッチイベントが送信されないようにする、
ことを特徴とする請求項１１に記載のコンピュータ可読媒体。
【請求項１５】
前記マルチタッチデバイスは移動電話機である、
ことを特徴とする請求項１１に記載のコンピュータ可読媒体。
【請求項１６】
前記マルチタッチデバイスはデジタルメディアプレイヤである、
ことを特徴とする請求項１１に記載のコンピュータ可読媒体。
【請求項１７】
前記命令は、前記マルチタッチデバイスに、
マルチタッチフラグを第１のビューに関連付けさせ、
前記１又はそれ以上のビューのうちの１つである前記第１のビューにおいて第１のタッチを受信させ、
前記第１のタッチについて記述するタッチイベントを、前記１又はそれ以上のソフトウェア要素のうちの１つであるとともに前記第１のビューに関連付けられた第１のソフトウェア要素へ送信させ、
前記第１のビューに関連付けられた前記マルチタッチフラグが、前記第１のビューがマルチタッチビューであることを示すかどうかを判定させ、
前記第１のビューがマルチタッチビューでない場合、前記第１のタッチがもはや受信されなくなるまで前記第１のビューにおいて行われる他の任意のタッチについて記述するすべてのタッチイベントを妨げさせる、
ようにさらに構成されたことを特徴とする請求項１１に記載のコンピュータ可読媒体。
【請求項１８】
前記命令は、前記マルチタッチデバイスに、
排他的タッチフラグを前記１又はそれ以上のビューの各々に関連付けさせ、
前記第１のビューに関連付けられた前記排他的タッチフラグが、前記第１のビューが排他的タッチビューであることを示すかどうかを判定させ、
前記第１のビューが排他的タッチビューである場合、前記第１のタッチがもはや受信されなくなるまで前記第１のビュー以外の任意のビューにおいて行われる他の任意のタッチについて記述するすべてのタッチイベントを妨げさせる、
ようにさらに構成されたことを特徴とする請求項１７に記載のコンピュータ可読媒体。
【請求項１９】
前記第１のビューは排他的タッチビューではなく、前記命令は、前記マルチタッチデバイスに、
第２のビューにおいて行われるとともに第２のソフトウェア要素に関連付けられた、マルチタッチパネルにおける第２のタッチを受信させ、
前記第２のビューに関連付けられた前記排他的タッチフラグが、前記第２のビューが排他的タッチビューであることを示すかどうかを判定させ、
前記第２のビューが排他的タッチビューである場合、前記第１のタッチがもはや受信されなくなるまで、前記第２のタッチに関連付けられたタッチイベントが前記第２のソフトウェア要素へ送信されないようにさせる、
ようにさらに構成されたことを特徴とする請求項１８に記載のコンピュータ可読媒体。
【請求項２０】
前記命令は、前記マルチタッチデバイスに、前記第２のビューが排他的タッチビューでない場合、前記第２のタッチについて記述するタッチイベントを前記第２のソフトウェア要素へ送信させるようにさらに構成された、
ことを特徴とする請求項１９に記載のコンピュータ可読媒体。